(57)【要約】【課題】安全かつ被服の装身位置の微調整が可能で審美性の良い被服締具、被服固定方法、および吊り下げボトムを提供することを目的とする。【解決手段】帯体１２０が、ボトム本体１１０と着用者とが接する内側面に設けられた第一固定部および第二固定部に、着用者の身体の一部を跨いでつながれ、柔軟性に富む長さ調節部材１３０が、第一固定部で、帯体１２０の長さ方向に長さ調節可能で、かつ帯体１２０を調節した長さで固定する。【選択図】図１
2019183332.tif 000002
【特許請求の範囲】
【請求項１】
着用者の被服が落下することを防止する落下防止具において、
前記被服の内側面に設けられた第一固定部および第二固定部に、前記着用者の身体の一部を跨いでつながれる帯体、
を備え、
前記第一固定部は、
前記帯体の長さ方向に長さ調節可能で、調節した長さで固定可能、かつ柔軟性に富む長さ調節部材、
を備えることを特徴とする落下防止具。
【請求項２】
前記第二固定部は、
前記長さ調節部材を備えること、
を特徴とする請求項１記載の落下防止具。
【請求項３】
前記第二固定部は、
着脱可能な留め具で固定されること、
を特徴とする請求項１記載の落下防止具。
【請求項４】
前記留め具は、
前記帯体の側面に設けられるボタンと、
前記ボタンを留め合わせるボタン穴と、
を備えることを特徴とする請求項３記載の落下防止具。
【請求項５】
前記長さ調節部材は、
軟質合成樹脂素材で形成されること、
を特徴とする請求項１記載の落下防止具。
【請求項６】
前記合成樹脂素材は、
ポリウレタン樹脂であること、
を特徴とする請求項５記載の落下防止具。
【請求項７】
前記長さ調節部材は、
前記帯体が着脱可能に固定されること、
を特徴とする請求項１記載の落下防止具。
【請求項８】
前記長さ調節部材は、
上下枠と左右枠とからなる枠体と、
前記枠体を仕切り前記左右枠に渡って前記枠体と一体に設けられた仕切り枠と、
前記枠体を前記被服に固定する枠体固定帯体と、
を備え、
前記枠体固定帯体の一端は、
前記仕切り枠と前記上下枠とで形成される一方の挿通空間を前記枠体の裏側から通され、前記仕切り枠を跨いで他方の挿通空間に表側から通され、前記枠体固定帯体の他端と共に前記被服の内側面に固定され、
前記帯体の一端は、前記一方の挿通空間を前記枠体の裏側から通され、前記仕切り枠および前記枠体固定帯体を跨いで他方の挿通空間に表側から通されて連結されること、
を特徴とする請求項１記載の被服固定具。
【請求項９】
着用者の被服が落下することを防止する落下防止方法において、
帯体が、前記被服の内側面に設けられた第一固定部および第二固定部に、前記着用者の身体の一部を跨いでつながれ、
柔軟性に富む長さ調節部材が、前記第一固定部で、前記帯体の長さ方向に長さ調節可能で、かつ調節した長さで固定する、
ことを特徴とする落下防止方法。
【請求項１０】
着用者の被服が落下することを防止する落下防止具を有する吊り下げボトムにおいて、
前記ボトムの内側面に設けられた第一固定部および第二固定部に、前記着用者の身体の一部を跨いでつながれる帯体、
を備え、
前記第一固定部は、
前記帯体の長さ方向に長さ調節可能で、調節した長さで固定可能、かつ柔軟性に富む長さ調節部材、
を備えることを特徴とする吊り下げボトム。
【発明の詳細な説明】
【技術分野】
【０００１】
本発明は、落下防止具、落下防止方法、および吊り下げボトムに関し、特に着用者の被服が落下することを防止する被服装身具に関する。
【背景技術】
【０００２】
従来から、被服の一部として服のズレを防いだり、被服を身体に固定させたりする帯状の布や皮を腰に巻くベルトと呼ばれる装身具が知られている。また他に、ボトムを身体に固定する道具として、一対のベルトを肩にかけることでボトムをつり下げて固定するサスペンダーまたは吊りバンドと呼ばれる装身具が知られている。
【０００３】
このサスペンダーまたは吊りバンドは、ベルトと比較すると腹部を締め付けることがないため、お腹周りが豊かな男性や、妊娠中の女性でも快適にボトムを固定することができる。
【０００４】
また自分でベルトを使用してボトムを身体に固定することが困難な幼児でも、大人が容易にボトムを固定できる実用的な装身具として、さらにはオシャレなアイテムとしてサスペンダーまたは吊りバンドを身につける人が増えている。
【０００５】
このボトムをつり下げるサスペンダーは一般的に、背中に接する部位で分岐された複数本の帯体の端部をボトムの上端部につなぐことで、ボトムを吊り下げることができるものである。
【０００６】
また帯体の分岐形状を変化させることで様々な形態でボトムを吊り下げることができる。例えば、ボトムの前側に２本、後側に１本に分岐した帯体からなるＹ型、ボトムの前側に２本、後側に２本に分岐した帯体からなるＨ型、Ｘ型などがある。
【０００７】
さらには複数の帯体を使用することなく、首から身体の前面に掛けて分岐していない１本の帯体でボトムを吊り下げることができるサスペンダーが開発されている（たとえば、特許文献１参照）。
【０００８】
上記のサスペンダーに使用される帯体の端部とボトムの上端部との固定方法は、帯体の端部に固定されたクリップタイプの金具によりボトムの上端部を吊る方法や、帯体の端部に固定された茄子鐶や鉄砲カンなどの鐶体を、ボトムのベルト通しに固定する方法のように固定具を使用するのが一般的である。
【０００９】
また、サスペンダーを装着する際の帯体の長さは、帯体の中間部に設けられる長さ調節部材により調節できるので、ボトムの装着具合を快適に調節でき、ボトムの着衣時や脱衣時の操作に時間や手間がかからず、容易にボトムを着脱することができる。
【先行技術文献】
【特許文献】
【００１０】
【特許文献１】特開２００８−５０７２０号公報
【発明の概要】
【発明が解決しようとする課題】
【００１１】
しかし、サスペンダーの帯体をボトムの上端部に固定するための固定具であるクリップタイプの金具や鐶体、また帯体の長さを調節するための長さ調節部材には金属やプラスチックのような硬い素材が用いられているため、周囲の人や物と接触した際に生じる転倒や、周囲の人や物を損傷させてしまう恐れがあった。
また、これらの固定具や長さ調節部材を備えたサスペンダーをボトムなどの被服に固定すると、被服全体の統一感を失わせてしまうため、審美性を損なう問題があった。
【００１２】
これらの固定具や長さ調節部材を使用する危険性については、帯体に一定の間隔で設けたボタンホールと、ボトムの上端部に設けたボタンとを固定することで、長さ調節部材の使用を回避することができる。しかし、ボタンホールは一定の間隔でしか設けることができないため、長さの微調整ができず快適な長さでボトムを着用することができない問題がある。
【００１３】
また、帯体の長さを短く調節すると、帯体の端部が固定位置から余った帯体が大きく外側に垂れ下がった状態となってしまう。このように帯体の端部で余った部分は、周囲の人や物に引っかかってしまう恐れが生じる。また帯体が大きく垂れ下がった状態は見た目も美しくない。
【００１４】
このような長さ調節で生じる帯体の端部で余った部分を回避するには、固定具や長さ調節部材を被服の内側に設置することが考えられるが、硬い固定具や長さ調節部材を被服の内側に設置してしまうと、身体を損傷する恐れがあるため解決には至らなかった。また被服の内側に固定具や長さ調節部材を隠さなくてはならず、デザインの範囲が限定されるという問題も生じていた。
【００１５】
本発明はこのような点に鑑みてなされたものであり、安全かつ被服の装身位置の微調整が可能で審美性の良い被服締具、被服固定方法、および吊り下げボトムを提供することを目的とする。
【課題を解決するための手段】
【００１６】
本発明では上記問題を解決するために、着用者の被服が落下することを防止する落下防止具において、前記被服の内側面に設けられた第一固定部および第二固定部に、前記着用者の身体の一部を跨いでつながれる帯体を備え、前記第一固定部は、前記帯体の長さ方向に長さ調節可能で、調節した長さで固定可能、かつ柔軟性に富む長さ調節部材を備えることを特徴とする落下防止具が提供される。
【００１７】
これにより、帯体が、被服の内側面に設けられた第一固定部および第二固定部に、着用者の身体の一部を跨いでつながれ、柔軟性に富む長さ調節部材が、第一固定部で、帯体の長さ方向に長さ調節可能で、かつ調節した長さで固定する。
【００１８】
また、本発明では、着用者の被服が落下することを防止する落下防止方法において、帯体が、前記被服の内側面に設けられた第一固定部および第二固定部に、前記着用者の身体の一部を跨いでつながれ、柔軟性に富む長さ調節部材が、前記第一固定部で、前記帯体の長さ方向に長さ調節可能で、かつ調節した長さで固定することを特徴とする落下防止方法が提供される。
【００１９】
これにより、帯体が、被服の内側面に設けられた第一固定部および第二固定部に、着用者の身体の一部を跨いでつながれ、柔軟性に富む長さ調節部材が、第一固定部で、帯体の長さ方向に長さ調節可能で、かつ調節した長さで固定する。
【００２０】
また、本発明では、着用者の被服が落下することを防止する落下防止具を有する吊り下げボトムにおいて、前記ボトムの内側面に設けられた第一固定部および第二固定部に、前記着用者の身体の一部を跨いでつながれる帯体を備え、前記第一固定部は、前記帯体の長さ方向に長さ調節可能で、調節した長さで固定可能、かつ柔軟性に富む長さ調節部材、
を備えることを特徴とする吊り下げボトムが提供される。
【００２１】
これにより、帯体が、ボトムの内側面に設けられた第一固定部および第二固定部に、着用者の身体の一部を跨いでつながれ、柔軟性に富む長さ調節部材が、第一固定部で、帯体の長さ方向に長さ調節可能で、かつ調節した長さで固定する。
【発明の効果】
【００２２】
本発明の落下防止具、落下防止方法、および吊り下げボトムによれば、帯体が、被服の内側面に設けられた第一固定部および第二固定部に、着用者の身体の一部を跨いでつながれ、柔軟性に富む長さ調節部材が、第一固定部で、帯体の長さ方向に長さ調節可能で、かつ調節した長さで固定するので、長さ調節で生じる帯体の端部で余った部分や、帯体の長さを調節する部材や、帯体と被服を固定する固定部材が外部に露出することなくなり、安全かつ被服の装身位置の微調整が可能で審美性の良い落下防止具、落下防止方法、および吊り下げボトムを提供することができる。
【図面の簡単な説明】
【００２３】
【図１】第１の実施の形態に係る被服である吊り下げボトムを示す正面図および背面図である。
【図２】長さ調節部材の詳細を示す正面図、上面図、および側面図である。
【図３】長さ調節部材の固定方法、および帯体との固定方法を示す断面図である。
【図４】ボトム本体に固定した長さ調節部材と、固定された長さ調節部材につながれた帯体を示す正面図である。
【図５】固定部の詳細を示す正面図である。
【図６】帯体を取り外した状態のボトム本体を示す正面図である。
【図７】第２の実施の形態に係る被服である固定帽子を示す斜視図である。
【発明を実施するための形態】
【００２４】
以下、本発明の実施の形態を、図面を参照して詳細に説明する。
〔第１の実施の形態〕
図１は、第１の実施の形態に係る被服である吊り下げボトムを示す正面図および背面図である。
【００２５】
図１に示すように吊り下げボトム１００は、ボトム本体１１０、帯体１２０、長さ調節部材１３０、および固定具１４０を備えている。
吊り下げボトム１００は、ボトム本体１１０を帯体１２０によって吊り下げることで、着用者にボトム本体１１０を固定するものである。
【００２６】
ボトム本体１１０は、ズボンやスカートなど一般に下半身に着用する被服であり、本実施の形態ではズボンを例として挙げるがこれに限定されるものではなく様々な形態のボトムに利用できるものである。
【００２７】
帯体１２０は、着用者の身体の一部を跨ぐように引っかけられた状態で、帯体１２０の両端部をボトム本体１１０の上端部につなぐことで、ボトム本体１１０を吊り上げるためのものである。
【００２８】
帯体１２０とボトム本体１１０との固定する方法は、上述のようにＹ型、Ｈ型、Ｘ型など様々な形態があり、ここではＸ型を例として挙げるが他の固定方法で利用することもできる。
【００２９】
帯体１２０は布や皮など、ボトム本体１１０に合わせた装飾の一対の帯である。各帯体１２０の一端は、ボトム本体１１０の背面側の上端部の内側に長さ調節部材１３０を介して固定されている。また各帯体１２０の他端は、ボトム本体１１０の前面側の上端部の内側に固定具１４０を介して固定されている。
【００３０】
本実施の形態のように、帯体１２０をＸ型でボトム本体１１０と固定する場合は、各帯体１２０がクロスする部位に、各帯体がズレ落ちてしまうことを防止するためにループ１２１を設けるとよい。
【００３１】
具体的には、右肩に引っ掛けられる帯体１２０の内側に、左肩に引っ掛けられる帯体１２０を通すことのできる環状のループ１２１を設け、ループ１２１に左肩に引っ掛けられる帯体１２０を貫通させてからボトム本体１１０に固定することで、各帯体１２０がクロスする部位で生じる帯体１２０のズレ落ちを防止することができる。
【００３２】
長さ調節部材１３０は柔軟性を備え、帯体１２０の長さを調節するためのものであり、ボトム本体１１０の背面側かつ内側上端部で着用者の両肩位置から垂直にボトム本体１１０を吊り下げられる位置、例えばボトム本体１１０の上端部にウエストゴムが取付けられている場合は、取付けられたウエストゴムの下部でもよく、着用者の両肩位置から背面側に垂直にボトム本体１１０を吊り下げられる位置、かつボトム本体１１０と着用者とが接する面に取付けられる。
【００３３】
ボトム本体１１０の上端部に取付けられた長さ調節部材１３０は、この位置で帯体１２０の一端側に固定され、固定された帯体１２０を長さ方向に移動可能、かつ調節した長さで固定される。これにより着用者の身体の大きさに合わせて帯体１２０の長さを調節して固定することができる。なお、長さ調節部材１３０の詳細は後述する。
【００３４】
固定具１４０は、ボトム本体１１０の前面側かつ内側上端部で着用者の両肩位置から垂直にボトム本体１１０を吊り下げられる位置、例えばボトム本体１１０の上端部にウエストゴムが取付けられている場合は、取付けられたウエストゴムの下部でもよく、着用者の両肩位置から前面側に垂直にボトム本体１１０を吊り下げられる位置、かつボトム本体１１０と着用者とが接する面にボタンなどによって固定される。
【００３５】
ボトム本体１１０の上端部に取付けられた固定具１４０は、この位置で帯体１２０の他端に着脱可能に固定される。
これにより帯体１２０の他端がボトム本体１１０の前面側かつ内側上端部に着脱可能に固定され、帯体１２０の一端側がボトム本体１１０の背面側かつ内側上端部に長さ調節可能に固定されるので、金属のような硬い固定具や長さ調節部材をしようしないので、着用者が転んでもケガをすることがない。
【００３６】
また固定具や長さ調節部材のような周囲の人や物と引っかかりやすい部材を、ボトム本体１１０の内側、つまりボトム本体１１０と着用者とが接する面に取付けられるので、ボトム本体１１０の周面に部材が露出することがなくなるため、部材が周囲に引っかかる危険を防止することができる。
【００３７】
また長さ調節部材１３０をボトム本体１１０の内側に固定し、その位置で帯体１２０の長さを調節するので、長さ調整で余った帯体１２０がボトム本体１１０の外側に露出することがなくなる。これにより、余った帯体１２０が周囲に引っかかる事故を防止することができる。
【００３８】
さらに、ボトム本体１１０に固定する長さ調節部材１３０や固定具１４０、また長さ調節による余った帯体１２０がボトム本体１１０の周面に露出することがないので、審美性を高めることができる。
【００３９】
なお、本実施の形態では長さ調節部材１３０を着用者の背面側、固定具１４０を着用者の前面側に固定したが、長さ調節部材１３０を着用者の前面側、固定具１４０を着用者の背面側に固定することもできるが、図１のボトム本体１１０のように、背面側にギャザー部１１１が有る場合には、背面側に長さ調節部材１３０を設けた方が、ボトム本体１１０の内側に取付けた長さ調節部材１３０が目立たなくなり、シルエットがよくなる。
【００４０】
図２は、長さ調節部材の詳細を示す正面図、上面図、および側面図である。
図２に示すように長さ調節部材１３０は、帯体１２０と固定する枠体であり、枠体の構造として上枠１３１、下枠１３２、左枠１３３、および右枠１３４を備えている。また枠体の中心には左枠１３３から右枠１３４に渡ってもうけられる仕切り枠１３５が上枠１３１、下枠１３２、左枠１３３、および右枠１３４と一体に設けられ、仕切り枠１３５は枠体よりも一方面に突出するように設けられるとよい。
【００４１】
枠体に仕切り枠１３５を設けることで、後に帯体１２０を通すための挿通空間１３６、および挿通空間１３７が形成される。
長さ調節部材１３０は柔軟性と帯体１２０の引く力に耐えられる強度を備えた素材で形成される。例えばポリウレタン樹脂などの合成樹脂素材が用いられる。このほか皮革、紙類などを利用してもよい。
【００４２】
図３は、長さ調節部材の固定方法、および帯体との固定方法を示す断面図である。
図３に示すように、長さ調節部材１３０は、ボトム本体１１０の背面側かつ内側上端部に固定帯体１３８によって固定され、さらに帯体１２０が帯体１２０の長さ方向に移動可能に固定される。
【００４３】
次に、具体的な長さ調節部材１３０とボトム本体１１０との固定方法を示す。
固定帯体１３８は、長さ調節部材１３０を固定するための帯であり、糸などで代用することもできる。固定帯体１３８は、長さ調節部材１３０が備える仕切り枠１３５に引っ掛けられ他状態で固定帯体１３８の端部がボトム本体１１０に縫い付けられる。
【００４４】
具体的には、固定帯体１３８の一方の端部１３８Ａが、長さ調節部材１３０のボトム本体１１０と接する側から挿通空間１３６に通され、仕切り枠１３５を跨ぐようにして長さ調節部材１３０と着用者が接する側から挿通空間１３７に通される。
【００４５】
これにより固定帯体１３８は、仕切り枠１３５に引っ掛けられ他状態になる。この状態で固定帯体１３８の一方の端部１３８Ａと固定帯体１３８の他方の端部１３８Ｂとをつなぎ合わせてボトム本体１１０に固定する。以上により、長さ調節部材１３０はボトム本体１１０に固定される。
【００４６】
次に、具体的な長さ調節部材１３０と帯体１２０との固定方法を示す。
帯体１２０の一端は固定具１４０に固定されており、他端が固定帯体１３８でボトム本体１１０の固定された長さ調節部材１３０に固定される。
【００４７】
具体的には、帯体１２０の他端が、長さ調節部材１３０のボトム本体１１０と接する側から挿通空間１３６に通され、仕切り枠１３５および固定帯体１３８を跨ぐようにして長さ調節部材１３０と着用者が接する側から挿通空間１３７に通される。
【００４８】
これにより、帯体１２０の他端を帯体１２０の長さ方向かつ他端の延長方向に引っ張ることで、帯体１２０と長さ調節部材１３０との固定位置が移動し、帯体１２０と長さ調節部材１３０との固定位置と固定具１４０との長さを短く調節することができる。
【００４９】
なお、上記では、具体的な長さ調節部材１３０と帯体１２０との固定方法を示したが、逆の工程をたどることで、帯体１２０は長さ調節部材１３０から容易に取り外すことができる。
【００５０】
つまり帯体１２０は、長さ調節部材１３０に長さ調節可能だけでなく、帯体１２０の長さの一方向に移動し続けることで、帯体１２０が長さ調節部材１３０から取り外すことができる。よって帯体１２０は長さ調節部材１３０に着脱可能に固定することができる。
【００５１】
また、帯体１２０と固定具１４０との間を、帯体１２０の長さ方向かつ固定具１４０方向に引っ張ることで、帯体１２０と長さ調節部材１３０との固定位置が移動し、帯体１２０と長さ調節部材１３０との固定位置と固定具１４０との長さを長く調節することができる。
【００５２】
以上のように、着用者の大きさによって帯体１２０の長さを容易に調節することができる。また長さ調節で余った帯体１２０の他端は、ボトム本体１１０の内側、つまり着用者とボトム本体１１０との間に挟まれているので、ボトム本体１１０の外側に露出することがない。
【００５３】
図４は、ボトム本体に固定した長さ調節部材と、固定された長さ調節部材につながれた帯体を示す正面図である。
図４に示すように、長さ調節部材１３０は固定帯体１３８によってボトム本体１１０に固定され、帯体１２０は長さ調節部材１３０の仕切り枠１３５および固定帯体１３８を跨いで固定される。このように帯体１２０と固定帯体１３８との摩擦力により、帯体１２０は長さ調節部材１３０に長さの調節を可能に固定することができる。
【００５４】
図５は、固定部の詳細を示す正面図である。
図５に示すように固定具１４０では、帯体１２０の他端がボトム本体１１０の前面側かつ内側上端部に着脱可能に固定される。
【００５５】
具体的には、ボトム本体１１０の前面側かつ内側上端部には、紐を環状に取付けたボタン取付けループ１４１が設けられ、帯体１２０の他端の外側面に取付けられたボタン１２２がボタン取付けループ１４１に取付けられる。これにより、帯体１２０の他端は着脱可能にボトム本体１１０に固定される。
またボタン１２２は、帯体１２０の他端の外側面に取付けられており、ボタン１２２を帯体１２０とボトム本体１１０で挟み込むようにして、ボタン１２２を取付けループ１４１に取付けるため、ボタン１２２が着用者に接することがない。これにより、着用時のボタン１２２による不快感を低減させることができる。
【００５６】
図６は、帯体を取り外した状態のボトム本体を示す正面図である。
図６に示すように、帯体１２０は長さ調節部材１３０および固定具１４０と着脱可能に固定されているので、帯体１２０を容易にボトム本体１１０から取り外すことができる。
これにより、幼児が大きくなった際など帯体１２０が不要になった際に、帯体１２０をボトム本体１１０から容易に取り外すことができる。
【００５７】
また帯体１２０をボトム本体１１０から取り外した際には、長さ調節部材１３０および固定具１４０に取付けループ１４１が残されるが、長さ調節部材１３０はポリウレタン樹脂などの柔軟性を備えた部材であり、取付けループ１４１は紐を環状に取付けた部材であるため、
帯体１２０を取り外した後でも安全にボトム本体１１０を使用することができる。
【００５８】
〔第２の実施の形態〕
次に、本発明の第２の実施の形態について説明する。本実施の形態の帽子は、長さ調節部材および固定具１４０を設ける位置が異なる以外は、第１の実施の形態で示した構成とほぼ同様である。このため、上記第１の実施の形態とほぼ同様の構成部分については同一の符号を付すなどして適宜その説明を省略する。
【００５９】
図７は、第２の実施の形態に係る被服である固定帽子を示す斜視図である。
図７に示すように固定帽子１００は、帽子本体１１０、帯体１２０、長さ調節部材１３０、および固定具１４０を備えている。
【００６０】
固定帽子１００は、帽子本体１１０を帯体１２０によって着用者に引っ掛けることで、着用者に帽子本体１１０を固定するためのものである。
帽子本体１１０は、防暑、防寒、防砂、装飾を主な目的として頭に着用する被服であり、本実施の形態では通学帽を例として挙げるがこれに限定されるものではなく、ヘルメットや頭巾など様々な形態の帽子に利用できるものである。
【００６１】
帯体１２０は、着用者の身体の一部である顎部に引っかけられた状態で、帯体１２０の両端部を帽子本体１１０の下端部に固定することで、帽子本体１１０を着用者の頭部に固定するためのものである。
【００６２】
帯体１２０の一端は、帽子本体１１０の一側面の下端部の内側に長さ調節部材１３０を介して固定されている。また帯体１２０の他端は、帽子本体１１０の他側面の下端部の内側に固定具１４０を介して固定されている。
【００６３】
長さ調節部材１３０は柔軟性を備え、帽子本体１１０の一側面かつ下端部で着用者の耳位置から垂直に帽子本体１１０を引っ張れる位置、かつ帽子本体１１０と着用者とが接する面に取付けられる。
【００６４】
帽子本体１１０の下端部に取付けられた長さ調節部材１３０は、この位置で帯体１２０の一端側に固定され、固定された帯体１２０を長さ方向に移動可能にして固定される。これにより着用者の頭部の大きさに合わせて帯体１２０の長さを調節することができる。
【００６５】
固定具１４０は、帽子本体１１０の他側面かつ下端部で着用者の耳位置から垂直に帽子本体１１０を引っ張れる位置、かつ帽子本体１１０と着用者とが接する面に取付けられる。
【００６６】
これにより帯体１２０の他端が帽子本体１１０の一側面かつ内側下端部に着脱可能に固定され、帯体１２０の一端側が帽子本体１１０の他側面かつ内側下端部に長さ調節可能に固定されるので、金属のような硬い固定具や長さ調節部材をしようしないので、着用者が転んでもケガをすることがない。
【００６７】
また固定具や長さ調節部材のような周囲の人や物と引っかかりやすい部材を、帽子本体１１０と着用者とが接する面に取付けられるので、帽子本体１１０の周面に部材が露出することがなくなるため、部材が周囲に引っかかる危険を防止することができる。
【００６８】
また長さ調節部材１３０を帽子本体１１０の内側に固定し、その位置で帯体１２０の長さを調節するので、長さ調整で余った帯体１２０が帽子本体１１０の外側に露出することがなくなる。これにより、余った帯体１２０が周囲に引っかかる事故を防止することができる。
【００６９】
さらに、帽子本体１１０に固定される長さ調節部材１３０や固定具１４０、また長さ調節による余った帯体１２０が帽子本体１１０の周面に露出することがないので、審美性を高めることができる。
【符号の説明】
【００７０】
１００  ボトム、固定帽子
１１０  ボトム本体、帽子本体
１１１  ギャザー部
１２０  帯体
１２１  ループ
１２２  ボタン
１３０  長さ調節部材
１３１  上枠
１３２  下枠
１３３  左枠
１３４  右枠
１３５  仕切り枠
１３６、１３７  挿通空間
１３８  固定帯体
１３８Ａ、１３８Ｂ  端部
１４０  固定具
１４１  ボタン取付けループ
【図１】
2019183332.tif 000003
【図２】
2019183332.tif 000004
【図３】
2019183332.tif 000005
【図４】
2019183332.tif 000006
【図５】
2019183332.tif 000007
【図６】
2019183332.tif 000008
【図７】
2019183332.tif 000009